(57)【要約】【課題】裏板にポスター等の着脱が容易でありその保持が確実となることはもちろん、組立をシンプルにすることによりスマートさがあり美的に優れ、さらに組立てが容易でその組立の作業性が良くなり、部材数が少なくコスト安な構造に適する立て看板を提供する。【解決手段】看板両側の縦枠間に、上桟および中桟をねじ止めして裏板囲みの掲示枠を枠組みし、掲示枠より下を両縦枠で脚部としてある立て看板において、これら縦枠と上桟及び中桟は、主部形材とそれを覆うカバー形材とが開閉可能に合体する複合形材であり、主部形材は、いずれも枠組みの主となる強度となるように形成されるとともに裏パネルが掛け止められる形状に形成されている。【選択図】    図１
2019138933.tif 000002
【特許請求の範囲】
【請求項１】
看板両側の縦枠間に、上桟および中桟をねじ止めして裏板囲みの掲示枠を枠組みし、掲示枠より下を両縦枠で脚部としてある立て看板において、これら縦枠と上桟及び中桟は、主部形材とそれを覆うカバー形材とが開閉可能に合体する複合形材であり、主部形材は、いずれも枠組みの主となる強度となるように形成されるとともに裏パネルが掛け止められる形状に形成されていることを特徴とする立て看板。
【請求項２】
前記カバー形材は、前記主部形材の前面側を被覆する略チャンネル形であり、開閉可能な結合のため主部形材の外部側に軸受けが、カバー形材の外部側端にはそれに嵌る軸部が形成され、主部形材とカバー形材との開閉間に、カバー形材の開閉角度の規制をする開閉保持装置が内蔵され、さらに、左右両縦枠において、脚部ではカバー形材が常時「閉」に結合保持されるよう、掲示枠の下端位置にカバー形材が上下に分断される切れ目を設けるとともに、常時「閉」のためのロック装置を具備してなることを特徴とする請求項１記載の立て看板。
【請求項３】
前記開閉保持装置は、主部形材に対してカバー形材が開閉するのに伴いデッドポイントを越えて交互に反転するピンばねが要所ごとに圧縮に配置してなり、主部形材には、その開閉に伴いピンばねの基端軸が横へ往復する幅広溝を設け、且つ幅広溝の両端に、それぞれピンばねの転倒の軸押えとなり,転倒の支点ともなり得る突縁部を設け、該軸押えと支点との二点支持が転倒の制約となることにより、ピンばねがデッドポイントを越える移動と転倒を交互とするよう規制され、引いてはピンばねの転倒限度を受けてカバー形材の開閉角度が規制されるように、カバー形材にピンばねの先端が弾力で常時突きかかる連係溝を設けことを特徴とする請求項１又は２記載の立て看板。
【請求項４】
前記ロック装置は、脚部の下端に嵌着する脚キャップに、主部形材に嵌る差込固定片と、カバー形材の開閉先端部に内接する差込並列片とを突設してなり、差込並列片がストッパーとしてカバー形材の開きが阻止されるようにしたことを特徴とする請求項１，２又は３記載の立て看板。
【発明の詳細な説明】
【技術分野】
【０００１】
この発明は、主に屋外で広告や宣伝、告知等に使用される立て看板（ポスタースタンドとも称する）であって、詳しくはアルミ押出形材で組み立てられる立て看板に関する。
【背景技術】
【０００２】
立て看板は、部材にアルミ押出形材が使用されるものが多く、例えば、左右一対の縦枠の間に上桟と中桟を設けることにより上部に四角い窓枠を有する本体フレームと、窓枠に嵌る額縁様フレームとからなるものであった。なお、額縁様フレームは、裏パネルを囲ったもので、それにポスター等を挟む透明板付きであって、各４辺に透明板をばねの力で押え止める開閉片を具備したものであった。
【発明の概要】
【発明が解決しようとする課題】
【０００３】
上記のような従来の立て看板は、ビスポケットを有する上桟と中桟に縦枠からビスを螺入するため、ビス頭部が縦枠の側面に体裁悪く露出していたり、背面に組立金具が露出するなどしており、しかも額縁様の枠組みが別途に具備されるので、特別付けたように重装備に目立つ存在であり、殊にポスター交換頻度の高い繁華環境では、現代が求めるシンプル且つスマートな公共空間、商業空間を表出する妨げとなっておりこの点で改善の必要性があった。
【０００４】
この発明は、上記のような実情に鑑みて、裏板にポスター等の着脱が容易でありその保持が確実となることはもちろん、組立をシンプルにすることによりスマートさがあり美的に優れ、さらに組立てが容易でその組立の作業性が良くなり、部材数が少なくコスト安な構造に適する立て看板を提供することを課題とした。
【課題を解決するための手段】
【０００５】
上記の課題を解決するために、この発明は、看板両側の縦枠間に、上桟および中桟をねじ止めして裏板囲みの掲示枠を枠組みし、掲示枠より下を両縦枠で脚部としてある立て看板において、これら縦枠と上桟及び中桟は、主部形材とそれを覆うカバー形材とが開閉可能に合体する複合形材であり、主部形材は、いずれも枠組みの主となる強度となるように形成されるとともに裏パネルが掛け止められる形状に形成されていることを特徴とする立て看板を提供する。
【０００６】
さらに、前記カバー形材は、前記主部形材の前面側を被覆する略チャンネル形であり、開閉可能な結合のため主部形材の外部側に軸受けが、カバー形材の外部側端にはそれに嵌る軸部が形成され、主部形材とカバー形材との開閉間に、カバー形材の開閉角度の規制をする開閉保持装置が内蔵され、さらに、左右両縦枠において、脚部ではカバー形材が常時「閉」に結合保持されるよう、掲示枠の下端位置にカバー形材が上下に分断される切れ目を設けるとともに、常時「閉」のためのロック装置を具備してなることが好ましい。
【０００７】
立て看板を上記のように構成したから、ポスター等を取り換えるときには、開閉範囲が保持装置により規制されるため、カバー形材を指掛けで開きやすく軽いタッチ様に閉じを設定しておくことができ、また、開いた角度が不用意に閉じることなく保持されるために、ポスター等の取替作業を容易になし得る。また、カバー形材は切れ目で上下に分断され開閉は掲示枠等の範囲において限られる使用となるため、脚部のカバー形材は都合よく閉じに常時保持される。
【発明の効果】
【０００８】
以上説明したように、この発明によれば、額縁様フレームを別途に取りつける必要がなく、本体の組立みだけで掲示枠がシンプルに備わり、しかも、開閉保持装置によりカバー形材の規制限度で開閉ができるので、限度を調整しておくことによりポスターなどの取替えが容易となり、また、その固定も確実となり、外観が同一の形材の統一により美的であり組立も容易で、その製作の作業性が良く、加えてビス等がカバー形材の閉じで隠れて見栄えがすっきり良くなり、特に脚部では体裁よく常時閉じに保持されるという優れた効果がある。  
【図面の簡単な説明】
【０００９】
【図１】この発明の立て看板の斜視図である。
【図２】図１のＡ−Ａ線矢視の断面図である。
【図３】Ｂ−Ｂ線矢視の断面図である。
【図４】ピンばねの正面図である。
【図５】開閉保持装置を説明する複合形材の断面図である。
【図６】図５に示す幅広溝の拡大断面図である。
【図７】ロック装置の説明のため脚部とそれに嵌着する脚キャップを向かい合わせに示す斜視図である。
【図８】脚キャップの向かい合わせ正面図である。
【発明を実施するための形態】
【００１０】
この発明については、「立て看板」とは、一枚を単位としており、二枚合わせの拝み状をはじめ、支え材付き傾斜型、座部付き直立型等、多様な立て型として実施されるものとする。次に記す実施例は、二枚合わせの拝み状である場合であって、２枚の看板Ｐ、Ｐが上端のヒンジ金具１０により開閉可能に連結される。
【実施例】
【００１１】
図面は一実施例を示したもので、その立て看板Ｐは、複合形材からなる縦枠１，１と、その間に挟まれビス止めで掲示枠２を枠組みするための上桟３及び中桟５からなるもので、これで不可欠な額縁機能の掲示枠２と立て掛けの脚部１ａ、１ａを具備するので全体が統一しスマートである。それぞれの組立部材は、強度の中心となる主部形材７とその表面を被覆するカバー形材９とが合体する複合形材（図５  符号６）であって、下端には単独パイプ形材からなる下桟１１が補助的に架設される。また、縦枠１，１には脚部１ａ，１ａとの境界にカバー形材９を上下に分断する切れ目１２，１２が設けられる。なお、両下桟１１、１１間には、セパレート兼用の重し受けの枠体が掛けられる。
【００１２】
中桟５以上の高さに枠組みされる掲示枠２の中に裏パネル１３が納まっており、使用ではこれにポスター等１７が透明板１９の上から押え止められる。掲示枠２の各辺部材（縦枠１、上桟３、中桟５）にはその押えとなるカバー形材９が合体しているが、透明板１９に対する圧接を避け、軽く押えるように製作上調整し得るよう、カバー形材９の開閉保持装置３３が内蔵される。
【００１３】
縦枠、上桟、中桟としての各複合体構造は、いずれも主部形材７の上にカバー形材９が強固に被される合体構造である。主部形材７は、強度上中空ではあるが、断面で背後部内隅に裏パネル１３が掛かる段差凸部２１を有し、背後部外隅にはビスポケット状に軸受け２３が設けてある。また、上桟３と中桟５には、縦枠１との連結のため内部に（部材の厚み抑制のため）上下対の配列にねじポケット２５，２５を設けてある（図２参照）。したがって、左右縦枠１，１と上桟３及び中桟５は、主部形材７同士により強固に枠組み構造を保持する。
【００１４】
カバー形材９は、ねじ頭部が隠れるよう主部形材７に半分程度被さるカバー状の断面チャンネル形であって、その一端に主部形材７の軸受け２３に嵌る軸部２７が形成されている。そこで、透明板１９に対して先端が開閉され、「閉」においてその下にポスター等１７が押え止められる。この開閉いずれの位置をも一定角度に停止保持されるように、主副間にピンばね３１を介在して開閉保持装置３３が構成される。これによりポスターなどの取替えが容易となるが、主部形材７とカバー形材９との合体が強固ともなる。なお、３４は、閉じにおいてカバー形材９が突きあたる補助的ストッパー片である。
【００１５】
ピンばね３１は、ピンの両端部を向かい合わせに反転屈折してなる低い山形であって、下端が主部形材７において反転中心となる基部軸３１ａであり、反転先端３１ｂがカバー形材９に対する（連係溝３８での）突き先となり、連係溝３８には突き対象の掛止部４２が形成される。開閉保持装置３３は、ピンばね３１がデッドポイントを越えて開閉いずれの時点にもカバー形材９にばね附勢力α、βが及ぶようにしたものであるが、それがカバー形材９の閉じのモメントSａ、開きのモメントＳｂとして働き、同時にピンばね３１が転倒角度停止で閉じと開きの限度（ストッパー）ともなる。つまり閉じ限度、開き限度が設定される。そして、この閉角度位置、開角度位置の角度保持は外部からは分からない秘密の内部構造になることに特徴がある。さらに、その構造を説明する。
【００１６】
ピンばね３１は、ピンの屈曲成形部材であって（図４）、上下に弾力が安定して働くように基部軸３１ａが長い山形底部であって、主部形材７には、前記軸受け２３から離れた上端に基部軸３１aが移動可能に係合する巾広溝３７を設けるとともに、その開口両側に突縁部３９，４１を形成することにより、両端に基部軸３１ａ、３１ａを保持するポケットが形成される。そこで、ピンばね３１は、一方の突縁部３９（４１）に係るとともに他方の突縁部４１（又は３９）に受けられる傾斜をなし、その傾斜体勢がＸクロス状に相互に変化し（図５）、カバー形材９の閉じ（実線）、と開き（二点鎖線）の位置が設定されることになる。
【００１７】
なお、開閉保持装置３３は、軸部２７の中心と巾広溝３７の両端をそれぞれ通る両仮想線Ｌａ、Ｌｂ上がデッドポイント位置として変位する。
【００１８】
図５において、主部形材７にカバー形材９が合体しているが（実線,符号６）、このとき、ピンばね３１が先端３１ｂで外側デッドポイントＬａを越えて内側へ（α方向へ）ばね力でカバー形材９を押しているため、その力によりカバー形材９には軸部２７を中心とする閉のモメントＳａが働く。しかし、ピンばね３１の転倒は突縁部３９、４１で規定されるため、カバー形材９は、先端３１ｂに対する連係溝３８との引かりで開き不能となるので「閉」に保持される。つまり、カバー形材９は、ポスター押えの丁度その位置Ｔ（図５）で停止する設定とされる。したがって、押えが過度でないため、開く操作ではカバー形材９の先９ａに指掛けしやすい。
【００１９】
次に、この「閉」の状態から、カバー形材９をピンばね３１の弾力に抗して開くと（図５の二点鎖線参照）、カバー形材９には、仮想線Ｌｂを先端３１ｂが左に越えると同時に、ピンばね３１は、カバー形材９を「開」に附勢（β）する。また、ピンばね３１が反対傾斜（二点鎖線）になるため、カバー形材９は、軸部２７を中心とする「開」のモメントＳｂが働くがピンばね３１は、突縁部３９、４１に受けられて転倒が停止するため、先端３１ｂで連係溝３８と係合していることでカバー形材９を一定の開き角度に停止する。この開きが保持されることで都合よくポスター等１７を取り換えることができる。
【００２０】
縦枠１にはカバー形材９を脚部１ａから分離するためそれに切れ目１２が設けている。ロック装置４３は、開閉が上下相互に影響しないよう、脚部４５の下端に着脱するキャップ４６でカバー形材９の開きを停止するようにしたもので、キャップ４６には、脚部４５の主部形材７に篏合する差込固定片４７とカバー形材９に内接する差込並列片４９とを突設し、端部片の先端に差込並列片４９に掛かる突起２９が設けてある。したがって、キャップ４６を取り付けてあると、カバー形材９が一体接合状態になり、主部形材７との合体が固定的に保持される結果開きが不可のロック状態となる。なお、頭キャップ５０は、カバー形材９の開閉に支障のない構造を取ることができる。
【符号の説明】
【００２１】
Ｐ  立て看板
Ｌａ、Ｌｂ  デッドポイント位置を示す仮想線
１  縦枠
２  掲示枠
３  上桟
５  中桟
６  複合形材
７  主部形材
９  カバー形材
１２  切れ目
１３  裏パネル
１７  ポスター等
１９  透明板
２１  段差凸部
２３  軸受け
２７  軸部
３１  ピンばね
３１ａ  基部軸
３１ｂ  先端
３３  開閉保持装置
３７  幅広溝
３８  連係溝
３９，４１  突縁部
４３  ロック装置
４６  脚キャップ
４７  固定片
４９  並列片
【図１】
2019138933.tif 000003
【図２】
2019138933.tif 000004
【図３】
2019138933.tif 000005
【図４】
2019138933.tif 000006
【図５】
2019138933.tif 000007
【図６】
2019138933.tif 000008
【図７】
2019138933.tif 000009
【図８】
2019138933.tif 000010